【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
第１図柄変動ゲームと、前記第１図柄変動ゲームとは異なる第２図柄変動ゲームと、を実行可能な遊技機において、
遊技球が入球可能な第１入球手段と、
前記第１入球手段へ入球した遊技球の検知に基づき前記第１図柄変動ゲームの始動条件を付与する第１検知手段と、
遊技球が入球可能な第２入球手段と、
前記第２入球手段へ入球した遊技球の検知に基づき前記第２図柄変動ゲームの始動条件を付与する第２検知手段と、
遊技球が入球可能な第３入球手段と、
前記第３入球手段へ入球した遊技球を検知する第３検知手段と、
前記第１検知手段又は前記第２検知手段で遊技球が検知されたことを契機に、大当りか否かの大当り判定を実行する大当り判定手段と、
前記第１検知手段又は前記第２検知手段で遊技球が検知されたことを契機に、小当りか否かの小当り判定を実行する小当り判定手段と、
大当り遊技中に開放され、遊技球が入球可能な第１特別入賞手段と、
大当り遊技中又は小当り遊技中に開放され、遊技球が入球可能な第２特別入賞手段と、
前記第２入球手段への単位時間あたりの遊技球の入球率を通常状態時における前記第２入球手段への単位時間あたりの遊技球の入球率よりも向上させる入球率向上状態の付与状態を制御する遊技状態制御手段と、を備え、
前記第１大当り遊技と前記第２大当り遊技とでは、大当り遊技終了後に前記入球率向上状態が付与される図柄変動ゲーム数が異なり、
前記第１入球手段の入球口は、常時開口している一方で、前記第２入球手段は、前記第２入球手段の入球口を第１状態とする開閉手段を有し、該開閉手段は、前記第３検知手段で遊技球の入球が検知され、かつ前記開閉手段を開放させるか否かの開放抽選に当選したことを契機に前記第１状態よりも入球しやすくなる第２状態となるように作動するようになっており、
前記大当り判定で大当りと判定された場合、前記第１特別入賞手段を開放させる第１大当り遊技が付与される一方で、前記小当り判定で小当りと判定された場合、前記第２特別入賞手段を開放させる小当り遊技が付与されるようになっており、
前記小当り遊技中、前記第２特別入賞手段への入球後、該第２特別入賞手段内に設けられた特定領域を通過した場合、前記第１特別入賞手段又は前記第２特別入賞手段を開放させる第２大当り遊技が付与されるようになっており、
前記大当り判定手段は、前記第１図柄変動ゲームに基づく大当り判定、及び前記第２図柄変動ゲームに基づく大当り判定で大当りと判定する確率を同一とする一方で、
前記小当り判定手段は、前記第２図柄変動ゲームに基づく小当り判定で小当りと判定する確率を、前記第１図柄変動ゲームに基づく小当り判定で小当りと判定する確率よりも高く設定したことを特徴とする遊技機。
【請求項２】
第１図柄変動ゲームと、前記第１図柄変動ゲームとは異なる第２図柄変動ゲームと、を実行可能な遊技機において、
遊技球が入球可能な第１入球手段と、
前記第１入球手段へ入球した遊技球の検知に基づき前記第１図柄変動ゲームの始動条件を付与する第１検知手段と、
遊技球が入球可能な第２入球手段と、
前記第２入球手段へ入球した遊技球の検知に基づき前記第２図柄変動ゲームの始動条件を付与する第２検知手段と、
遊技球が入球可能な第３入球手段と、
前記第３入球手段へ入球した遊技球を検知する第３検知手段と、
前記第１検知手段又は前記第２検知手段で遊技球が検知されたことを契機に、大当りか否かの大当り判定を実行する大当り判定手段と、
前記第１検知手段又は前記第２検知手段で遊技球が検知されたことを契機に、小当りか否かの小当り判定を実行する小当り判定手段と、
大当り遊技中に開放され、遊技球が入球可能な第１特別入賞手段と、
大当り遊技中又は小当り遊技中に開放され、遊技球が入球可能な第２特別入賞手段と、
前記第２入球手段への単位時間あたりの遊技球の入球率を通常状態時における前記第２入球手段への単位時間あたりの遊技球の入球率よりも向上させる入球率向上状態の付与状態を制御する遊技状態制御手段と、を備え、
前記第１入球手段の入球口は、常時開口し、
前記第２入球手段は、前記第２入球手段の入球口を第１状態とする開閉手段を有し、該開閉手段は、前記第３検知手段で遊技球の入球が検知され、かつ前記開閉手段を開放させるか否かの開放抽選に当選したことを契機に前記第１状態よりも入球しやすくなる第２状態となるように作動し、
前記第３入球手段は、前記通常状態においても入球可能に構成され、
前記第１入球手段と前記第３入球手段は、遊技球を流下させる同一の流下経路上に位置し、前記通常状態の発射態様において前記第１入球手段と前記第３入球手段に入球可能となるように配設されており、
前記大当り判定で大当りと判定された場合、前記第１特別入賞手段を開放させる第１大当り遊技が付与される一方で、前記小当り判定で小当りと判定された場合、前記第２特別入賞手段を開放させる小当り遊技が付与されるようになっており、
前記小当り遊技中、前記第２特別入賞手段への入球後、該第２特別入賞手段内に設けられた特定領域を通過した場合、前記第１特別入賞手段又は前記第２特別入賞手段を開放させる第２大当り遊技が付与されるようになっており、
前記大当り判定手段は、前記第１図柄変動ゲームに基づく大当り判定、及び前記第２図柄変動ゲームに基づく大当り判定で大当りと判定する確率を同一とする一方で、
前記小当り判定手段は、前記第２図柄変動ゲームに基づく小当り判定で小当りと判定する確率を、前記第１図柄変動ゲームに基づく小当り判定で小当りと判定する確率よりも高く設定したことを特徴とする遊技機。
【手続補正２】
【補正対象書類名】明細書
【補正対象項目名】０００７
【補正方法】変更
【補正の内容】
【０００７】
上記問題点を解決する遊技機は、第１図柄変動ゲームと、前記第１図柄変動ゲームとは異なる第２図柄変動ゲームと、を実行可能な遊技機において、遊技球が入球可能な第１入球手段と、前記第１入球手段へ入球した遊技球の検知に基づき前記第１図柄変動ゲームの始動条件を付与する第１検知手段と、遊技球が入球可能な第２入球手段と、前記第２入球手段へ入球した遊技球の検知に基づき前記第２図柄変動ゲームの始動条件を付与する第２検知手段と、遊技球が入球可能な第３入球手段と、前記第３入球手段へ入球した遊技球を検知する第３検知手段と、前記第１検知手段又は前記第２検知手段で遊技球が検知されたことを契機に、大当りか否かの大当り判定を実行する大当り判定手段と、前記第１検知手段又は前記第２検知手段で遊技球が検知されたことを契機に、小当りか否かの小当り判定を実行する小当り判定手段と、大当り遊技中に開放され、遊技球が入球可能な第１特別入賞手段と、大当り遊技中又は小当り遊技中に開放され、遊技球が入球可能な第２特別入賞手段と、前記第２入球手段への単位時間あたりの遊技球の入球率を通常状態時における前記第２入球手段への単位時間あたりの遊技球の入球率よりも向上させる入球率向上状態の付与状態を制御する遊技状態制御手段と、を備え、前記第１大当り遊技と前記第２大当り遊技とでは、大当り遊技終了後に前記入球率向上状態が付与される図柄変動ゲーム数が異なり、前記第１入球手段の入球口は、常時開口している一方で、前記第２入球手段は、前記第２入球手段の入球口を第１状態とする開閉手段を有し、該開閉手段は、前記第３検知手段で遊技球の入球が検知され、かつ前記開閉手段を開放させるか否かの開放抽選に当選したことを契機に前記第１状態よりも入球しやすくなる第２状態となるように作動するようになっており、前記大当り判定で大当りと判定された場合、前記第１特別入賞手段を開放させる第１大当り遊技が付与される一方で、前記小当り判定で小当りと判定された場合、前記第２特別入賞手段を開放させる小当り遊技が付与されるようになっており、前記小当り遊技中、前記第２特別入賞手段への入球後、該第２特別入賞手段内に設けられた特定領域を通過した場合、前記第１特別入賞手段又は前記第２特別入賞手段を開放させる第２大当り遊技が付与されるようになっており、前記大当り判定手段は、前記第１図柄変動ゲームに基づく大当り判定、及び前記第２図柄変動ゲームに基づく大当り判定で大当りと判定する確率を同一とする一方で、前記小当り判定手段は、前記第２図柄変動ゲームに基づく小当り判定で小当りと判定する確率を、前記第１図柄変動ゲームに基づく小当り判定で小当りと判定する確率よりも高く設定したことを要旨とする。
【手続補正３】
【補正対象書類名】明細書
【補正対象項目名】０００８
【補正方法】変更
【補正の内容】
【０００８】
上記問題点を解決する遊技機は、第１図柄変動ゲームと、前記第１図柄変動ゲームとは異なる第２図柄変動ゲームと、を実行可能な遊技機において、遊技球が入球可能な第１入球手段と、前記第１入球手段へ入球した遊技球の検知に基づき前記第１図柄変動ゲームの始動条件を付与する第１検知手段と、遊技球が入球可能な第２入球手段と、前記第２入球手段へ入球した遊技球の検知に基づき前記第２図柄変動ゲームの始動条件を付与する第２検知手段と、遊技球が入球可能な第３入球手段と、前記第３入球手段へ入球した遊技球を検知する第３検知手段と、前記第１検知手段又は前記第２検知手段で遊技球が検知されたことを契機に、大当りか否かの大当り判定を実行する大当り判定手段と、前記第１検知手段又は前記第２検知手段で遊技球が検知されたことを契機に、小当りか否かの小当り判定を実行する小当り判定手段と、大当り遊技中に開放され、遊技球が入球可能な第１特別入賞手段と、大当り遊技中又は小当り遊技中に開放され、遊技球が入球可能な第２特別入賞手段と、前記第２入球手段への単位時間あたりの遊技球の入球率を通常状態時における前記第２入球手段への単位時間あたりの遊技球の入球率よりも向上させる入球率向上状態の付与状態を制御する遊技状態制御手段と、を備え、前記第１入球手段の入球口は、常時開口し、前記第２入球手段は、前記第２入球手段の入球口を第１状態とする開閉手段を有し、該開閉手段は、前記第３検知手段で遊技球の入球が検知され、かつ前記開閉手段を開放させるか否かの開放抽選に当選したことを契機に前記第１状態よりも入球しやすくなる第２状態となるように作動し、前記第３入球手段は、前記通常状態においても入球可能に構成され、前記第１入球手段と前記第３入球手段は、遊技球を流下させる同一の流下経路上に位置し、前記通常状態の発射態様において前記第１入球手段と前記第３入球手段に入球可能となるように配設されており、前記大当り判定で大当りと判定された場合、前記第１特別入賞手段を開放させる第１大当り遊技が付与される一方で、前記小当り判定で小当りと判定された場合、前記第２特別入賞手段を開放させる小当り遊技が付与されるようになっており、前記小当り遊技中、前記第２特別入賞手段への入球後、該第２特別入賞手段内に設けられた特定領域を通過した場合、前記第１特別入賞手段又は前記第２特別入賞手段を開放させる第２大当り遊技が付与されるようになっており、前記大当り判定手段は、前記第１図柄変動ゲームに基づく大当り判定、及び前記第２図柄変動ゲームに基づく大当り判定で大当りと判定する確率を同一とする一方で、前記小当り判定手段は、前記第２図柄変動ゲームに基づく小当り判定で小当りと判定する確率を、前記第１図柄変動ゲームに基づく小当り判定で小当りと判定する確率よりも高く設定したことをことが要旨とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】０１８９
【補正方法】変更
【補正の内容】
【０１８９】
（ロ）大当り遊技終了後に前記入球率向上状態が付与される図柄変動ゲーム数を、前記第１大当り遊技よりも前記第２大当り遊技において多くなるように設定した。
（ハ）前記第２特別入賞手段に遊技球が入球した際、前記特定領域には所定確率で遊技球が入球するようになっており、前記第１図柄変動ゲームでは、前記小当り判定で小当りと判定された後、前記特定領域への遊技球の入球を経て前記第２大当り遊技が付与される確率よりも前記大当り判定で大当りと判定されて前記第１大当り遊技が付与される確率が高く設定される一方で、前記第２図柄変動ゲームでは、前記大当り判定で大当りと判定されて前記第１大当り遊技が付与される確率よりも前記小当り判定で小当りと判定された後、前記特定領域への遊技球の入球を経て前記第２大当り遊技が付与される確率が高く設定されている。
（ニ）前記第１検知手段で遊技球が検知されたときに前記第１図柄変動ゲームの実行の保留を示す第１始動保留球を第１記憶上限数まで記憶する第１保留記憶手段と、前記第２検知手段で遊技球が検知されたときに前記第２図柄変動ゲームの実行の保留を示す第２始動保留球を第２記憶上限数まで記憶する第２保留記憶手段と、を備え、前記第３検知手段で遊技球の入球が検知され、かつ前記開放抽選に当選した場合における前記開閉手段の開放時間は、前記第２保留記憶手段に前記第２記憶上限数の第２始動保留球を記憶可能な時間に設定されている。